(57)【要約】【課題】肥料排出管の排出口に付着した肥料が周囲に付着するのを容易に防止する。【解決手段】機体外端部のステップ支持フレームにドレンホースの排出口を収めるホルダ部材を設ける。  また、ホルダ部材を水平方向に延出するさや状に形成する。  さらに、ドレンホースに設けた係合部と機体側に設けた係止部との係合によりドレンホースを支持する支持部材を有し、排出部をホルダ部材に収める動作により、係合部と係止部の位置合わせを行う。【選択図】図５
2015065937.tif 000002
【特許請求の範囲】
【請求項１】
肥料タンク（１２）に貯留された流動性肥料を繰出し装置を介して施肥部から土中に施用する施肥装置（１０）を備え、苗の植付作業と同時に施肥作業を行う施肥田植機であって、前記施肥装置（１０）内の残留肥料を排出するドレンホース（２４）を機体外方に延出して設けた施肥田植機において、機体外端部のステップ支持フレーム（３６）に前記ドレンホースの排出口（２５）を収めるホルダ部材（３８）を設けたことを特徴とする施肥田植機。
【請求項２】
前記ホルダ部材（３８）は水平方向に延出するさや状に形成されていることを特徴とする請求項１に記載の施肥田植機。
【請求項３】
前記ドレンホース（２４）に設けた係合部（３５）と機体側に設けた係止部（３７ａ，３７ｂ）との係合によりドレンホースを支持する支持部材（３７）を有し、該支持部材（３７）は、前記排出部を前記ホルダ部材（３８）に収める動作により、前記係合部（３５）と前記係止部（３７ａ，３７ｂ）の位置合わせを行うことを特徴とする請求項２に記載の施肥田植機。
【請求項４】
前記ホルダ部材（３８）に前記排出口（２５）を嵌合することにより、ドレンホース（２４）を支持することを特徴とする請求項２に記載の施肥田植機。
【発明の詳細な説明】
【技術分野】
【０００１】
本発明は、圃場への苗の植付けと同時に圃場中への施肥を行う田植機に関する。
【背景技術】
【０００２】
施肥田植機によって植付同時施肥作業を行った後、残留肥料は施肥装置に設けたドレン機構の排出口から排出して回収を行う。しかし、この排出口に泥土が付着していると、回収した残留肥料に泥土が混入し、残留肥料を再度使用する際に施肥装置内に泥土が混入し、ポンプの破損を引起す懸念がある。このような残留肥料内への泥土の混入を防止するために、残留肥料の排出口をキャップで被蓋することにより排出口に泥土が付着するのを防止することによって、残留肥料内に泥土が混入するのを防止する田植機は知られている（特許文献１）。
【先行技術文献】
【特許文献】
【０００３】
【特許文献１】特開２０１２−３４６４０号公報
【発明の概要】
【発明が解決しようとする課題】
【０００４】
上記特許文献１の田植機は、通常時はドレンホース先端の排出口をキャップで被蓋しており、排出口への泥土の付着を防止しているが、残留肥料の排出時にキャップを外した際や、植付作業中に圃場内に落としてしまった際にキャップを紛失してしまうことがあった。
【課題を解決するための手段】
【０００５】
本発明は、肥料タンクに貯留された流動性肥料を繰出し装置を介して施肥部から土中に施用する施肥装置を備え、苗の植付作業と同時に施肥作業を行う施肥田植機であって、前記施肥装置内の残留肥料を排出するドレンホースを機体外方に延出して設けた施肥田植機において、機体外端部のステップ支持フレームに前記ドレンホース排出口を収めるホルダ部材を設けたことを特徴とする。
また、前記ホルダ部材は水平方向に延出するさや状に形成されていることを特徴とする。
【０００６】
さらに、前記ドレンホースに設けた係合部と機体側に設けた係止部との係合によりドレンホースを支持する支持部材を有し、該支持部材は、前記排出部を前記ホルダ部材に収める動作により、前記係合部と前記係止部の位置合わせを行うことを特徴とする。
【０００７】
そして、前記ホルダ部材に前記排出口を嵌合することにより、ドレンホースを支持することを特徴とする。
【発明の効果】
【０００８】
本発明は、肥料タンクに貯留された流動性肥料を繰出し装置を介して施肥部から土中に施用する施肥装置を備え、苗の植付作業と同時に施肥作業を行う施肥田植機であって、前記施肥装置内の残留肥料を排出するドレンホースを機体外方に延出して設けた施肥田植機において、機体外端部のステップ支持フレームに前記ドレンホースの排出口を収めるホルダ部材を設けたことにより、圃場での作業時にはホルダ部材にドレンホースの排出口を収めて肥料排出口に泥土等が付着することを防止し、排出した残留肥料に泥土等が混入するのを防ぐことができるので、当該残留肥料を再度使用する際にあたり、施肥装置内への泥土等の混入を未然に防ぐことができる。
【０００９】
また、前記ホルダ部材は水平方向に延出するさや状に形成されているので、ホルダの開口が高位置で且つ横方向を向き、ホルダ部材内への下方の圃場からの泥土の侵入を防ぐことができる。また、一般的に施肥田植機の機体側端部は機体への乗降部となっており、滑り止めや車輪廻りの視認性を向上させるためにステップ自体をスノコ状に形成されていたり、ステップ面に透孔を設けられていたりする場合が多く、これらの孔から落下する上方からの泥土のホルダ部材内への侵入も同時に防止することができる。
【００１０】
さらに、前記ドレンホースに設けた係合部と機体側に設けた係止部との係合によりドレンホースを支持する支持部材を有し、該支持部材は、前記排出部を前記ホルダ部材に収める動作により、前記係合部と前記係止部の位置合わせを行うように構成したことにより、作業者はホルダ部材に対して前記排出部を収めることに専念するだけで、ドレンホースの先端部と基部側箇所の位置合わせを同時に行うことができる。
【００１１】
そして、前記ホルダ部材に前記排出口を嵌合することにより、ドレンホースを支持するようにすることで、別途ドレンホースの支持部材を設けることを省略できる。
【図面の簡単な説明】
【００１２】
【図１】本発明の施肥田植機の全体側面図である。
【図２】肥料タンクから繰出装置に至る肥料管路を示す平面図である。
【図３】肥料排出部を示す（ａ）平面図、（ｂ）側面図である。
【図４】ドレン機構の管路の支持構成を示す背面図である。
【図５】同上拡大図である。
【図６】施肥部の要部拡大断面図である。
【発明を実施するための形態】
【００１３】
次に、本発明の実施形態を図面に基づいて説明する。図１は本発明の施肥田植機を示す全体側面図であって、この乗用型田植機１は、左右一対の前輪２，２及び後輪３，３に支持された走行機体４を有し、走行機体４の後方に、昇降リンク機構５を介して植付作業機６が連結された構造となっている。
【００１４】
走行機体の前部にはエンジンを内装するボンネット７が設けられており、エンジンから取り出された動力は、トランスミッションケース８内の動力伝達機構によて作業機動力と走行動力に分配され、走行動力は前輪２，２、及び後輪３，３を駆動し、作業機動力は植付作業機６の植付装置９、及び施肥装置１０の繰出装置１１を駆動する。
【００１５】
図１、及び図２に基いて前記施肥装置１０について詳述すると、走行機体の前側部には左右に肥料タンク１２，１２を設けてあり、該肥料タンク１２，１２は夫々肥料投入部１３，１３を有している。本実施形態の肥料投入部１３は回動式の蓋１４，１４を有し、後部のヒンジ１５，１５，１５，１５を中心に上方に回動することにより肥料投入部１３，１３を開放し、前部のロック機構１６，１６で閉鎖状態を維持する。
【００１６】
前記肥料タンク１２，１２に投入された液肥、又はペースト肥料等の流動性肥料は供給管路１７を介して繰出装置１１に流入する。本実施形態の施肥田植機は８条植えの植付作業機を有しており、前記繰出装置１１は各植付条の側方に施肥を行うべく、ねじ式ポンプ８基からなり、上段３基、及び下段３基の２段からなる６条用のポンプユニット１１ａと、２基のねじ式ポンプが左右に並列する２条用のポンプユニット１１ｂを有している。
【００１７】
前記供給管路１７について詳述すると、肥料タンク１２，１２の下面には枝管１８ａ，１８ｂの一端が接続されており、該枝管１８ａ，１８ｂの他端はトランミッションケース８の後方において機体腹部に設けたサブタンク１９の前部に接続されている。該サブタンク１９の後部には２本の分岐管２０ａ，２０ｂの一端が接続されており、他端は夫々前記２基のポンプユニット１１ａ，１１ｂに接続されている。
【００１８】
前記左右の肥料タンク１２，１２に供給された流動性肥料は、該供給管路１７によって前記枝管１８ａ，１８ｂを介して前記サブタンク１９に集められ、前記分岐管２０ａ，２０ｂで再び分流されて左右のポンプユニット１１ａ，１１ｂに流入し、比較的粘度の高いペースト肥料であっても左右の肥料タンク１２，１２の肥料は略均一に消費され、残量に差が生じることがない。よって作業中における機体の左右バランス悪化を防止すると共に、一方の肥料タンク１２の肥料のみが減り、他方の肥料タンク１２には肥料が多量に残っているにも関わらず肥料切れ警報が報知されるような事態が起こるのを防止することができる。
【００１９】
そして、各条の植付装置９，９，・・・夫々の側方には、施肥ノズルからなる施肥部２１，２１，・・・が設けてあり、前記繰出装置１１から送り出された流動性肥料は、各条毎に設けた施肥管２２，２２，・・・を介して各条の施肥部２１，２１，・・・に送られ、各植付装置９，９，・・・によって植付られた苗の側方に施用される。
【００２０】
前記施肥部２１は、施肥管２２に連結するカプラ２１ａ、該カプラ２１ａに螺着されるノズルボス２１ｂ、及び外ノズルボス２１ｂに一体的に嵌合されるノズル２１ｃを有しており、図５に示すように、カプラ２１ａとノズルボス２１ｂとの間に、円盤状のゴム片の中央部に十字の切れ込みを有するゴム弁２１ｄを挟み込んで装着することで管路内に施肥停止時の後垂れ防止機構を構成している。
【００２１】
一方、前記サブタンク１９にはドレン機構２３が接続されており、施肥装置１０内に残留した流動性肥料の排出・回収を可能としている。
【００２２】
該ドレン機構２３について詳述すると、前記サブタンク１９の側面にドレンホース２４の基端部を接続し、該ドレンホース２４の先端部には排出口２５、及び該排出口２５への管路を開閉するコック２６を備えた排出部２７を接続している。
【００２３】
図３に示すように、排出部２７はその先端に、肥料袋の口２８ａに嵌合する挿入部２９と、該挿入部２９の周囲に前記肥料袋の口２８ａを覆うように被嵌する被嵌部３０を有している。該挿入部２９と被嵌部３０は、肥料袋２８の樹脂製の口２８ａの厚さと同寸法の隙間Ｌを隔てており、図４に示すように、挿入部２９と被嵌部３０とで肥料袋の口のねじ部を挟持することによってドレン機構２３と肥料袋の口２８ａを接続するように構成している。
【００２４】
また、図４に示すように、前記ドレンホース２４は、その基部の支持部３２を機体フレーム３３にブラケット３４を介して支持されており、該支持部３２は、前記サブタンク１９よりも若干低位となるように接続され、さらに先端側が低位な緩傾斜となるように支持されている。また、前記支持部３２の先端側には可撓性のジャバラ部２４ａを有し、前記排出部２７を任意の位置に移動させることができるように構成されている。
【００２５】
そして、ドレン機構２３は、その先端部と中途部を機体フレームに枢支することにより、格納姿勢とすることができる。
【００２６】
詳述すると、機体の外側部にはステップ支持フレーム３６が設けられており、該ステップ支持フレーム３６の下面には、さや状のホルダ部材３８が固着されており、前記排出部２７の先端の排出口を嵌入することでドレン機構２３の先端部が機体フレームに枢持される。
【００２７】
さらに、排出部２７の先端と、ドレンホース２４と排出部２７の間に設けたフック３５を機体側部のステップ支持フレーム３６に設けた支持部材３７と係合することにより、図５の仮想線で示すように前記排出部２７をステップ支持フレーム３６の下面に沿って位置させた格納姿勢となるように、その管路を機体に枢支できるように構成されている。
【００２８】
前記支持部材３７について詳述すると、前記ステップ支持フレーム３６からはブラケット３７ａが下方に延設されており、該ブラケット３７ａにはノブボルト３７ｂが螺合されており、機体側の係止部を構成している。そして、図５に示すようにドレンホース側の係合部である前記フック３５をノブボルト３７ｂのボルト軸に掛け、ノブボルト３７ｂを締め込むことにより、前記ブラケット３７ａとノブボルト３７ｂのノブ部で前記フック３５を挟持して固定する。
【００２９】
この際、フック３５の先端部とノブボルト３７ｂとを当接させて排出部２７の先端をホルダ部材３８に挿入すると、フック３５の傾斜面とノブボルト３７ｂとが沿うことによって排出部２７の姿勢が補正され、容易に排出部２７の排出口をホルダ部材に収めることができ、ノブボルト３７ｂとフック３５との位置合わせが自ずと行われる。
【００３０】
そして、前記格納姿勢から前記ノブボルト３７ｂを緩め、フック３５と支持部材３７との係合を解除すると、図５の実線で示すように排出口２５が垂れ下がり接地可能な排出姿勢となる。
【００３１】
以上の構成により、施肥装置１０から残留肥料を排出する際には、先ず、格納姿勢を解除して前記排出部２７の挿入部２９を肥料袋の口に嵌入する。さらに押し込むと、挿入部２９と被嵌部３０とで肥料袋の口を挟持して肥料袋２８とドレン機構２３が接続される。
【００３２】
そして、コック２６を操作して排出口２５への管路を開くとドレン機構２３より施肥装置１０内の残留肥料が排出され、肥料袋２８に回収される。
【００３３】
このとき、肥料袋の口を前記挿入部２９と被嵌部３０で挟み込むだけでドレン機構２３と肥料袋２８を接続でき、コック２６を操作して排出口２５の管路を開くと肥料袋２８に残留肥料が回収されるので、作業者が手や衣服等を汚すことなく回収することができる。
【００３４】
また、肥料袋の口に排出口２５の挿入部２９を挿入するので肥料袋の口２８ａが肥料の流れを阻害することもなく肥料袋２８内にスムーズに残留肥料を回収することができ、肥料回収後、ドレン機構２３と肥料袋の口２８ａの接続を解除し、肥料袋の口２８ａに蓋をする際にも、肥料が肥料袋２８やその口２８ａの外側に付着しないので手を汚すこともなく、肥料袋の口２８ａの周りを拭いたりする必要もない。
【００３５】
さらに、前記ドレン機構２３はその管路を、機体に枢支した格納姿勢と、前記排出口２５が垂れ下がり接地可能な排出姿勢とに姿勢変更可能に構成したので、肥料袋２８を地面に置いた状態で肥料の回収が行えるため、肥料袋の口をドレン機構２３の排出口２５の挿入部２９と被嵌部３０とで挟持するだけで接続するものであっても、その接続部の抜けを防ぐために作業者が接続部や肥料袋を支える必要もなく肥料回収を行うことができる。
【００３６】
そして、機体外端部のステップ支持フレーム３６に前記ドレンホース２４の排出口２５を収めるホルダ部材３８を設けたことにより、圃場での作業時にはホルダ部材３８にドレンホース２４の排出口２５を収めることによって、当該排出口２５に泥土等が付着することを防止し、排出した残留肥料に泥土等が混入するのを防ぐことができるので、当該残留肥料を再度使用するにあたり、施肥装置１０内への泥土等の混入を未然に防ぐことができる。
【００３７】
また、前記ホルダ部材３８は水平方向に延出するさや状に形成されているので、その開口が高位置で且つ横方向を向いているため、ホルダ部材３８内への下方の圃場からの泥土の侵入を防ぐことができる。また、一般的に施肥田植機の機体側端部は機体への乗降部となっていたり、滑り止めや車輪廻りの視認性を向上させるためにステップ自体をスノコ状に形成されていたり、ステップ面に透孔を設けられていたりする場合が多いが、これらの孔から落下する上方からの泥土のホルダ部材３８内への侵入も同時に防止することができる。
【００３８】
さらに、前記ドレンホース２４に設けた係合部と機体側に設けた係止部との係合によりドレンホースを支持する支持部材を有し、該支持部材は、前記排出部を前記ホルダ部材に収める動作により、前記係合部と前記係止部の位置合わせを行うように構成したことにより、作業者はホルダ部材に対して前記排出部を収めることに専念するだけで、ドレンホースの先端部と基部側箇所の位置合わせを同時に行うことができる。
本実施形態ではホルダ部材と支持部材とでドレンホースを機体に支持したが、ホルダ部材の内径と、排出口の外径との差を極力減らすことでホルダ部材と肥料排出口との嵌合のみでドレンホースを支持しても良く、この場合、別途支持部材を設けることを省略できる。
【符号の説明】
【００３９】
１    施肥田植機
２，２    前輪
３，３    後輪
１０    施肥装置
１１    繰出し装置
１２，１２    肥料タンク
２３    ドレン機構
２４    ドレンホース
２５    排出口
２６    コック
３６    ステップ支持フレーム
３７    支持部材
３８    ホルダ部材
【図１】
2015065937.tif 000003
【図２】
2015065937.tif 000004
【図３】
2015065937.tif 000005
【図４】
2015065937.tif 000006
【図５】
2015065937.tif 000007
【図６】
2015065937.tif 000008